(57)【要約】【課題】フェンスや標識、或いは表示塔等の立脚物をコンクリートブロック等の載置重量物に支持及び維持させる立脚支持構造を、構造簡単で廉価に、そして誰でも容易に組付け施工が行えるものとして、扱い易く便利で経済的なものに改良して提供する。【解決手段】立脚物１の基端部１ａを載置重量物２に係止支持させることにより、立脚物１を立脚作用状態に維持可能とするための立脚支持構造において、載置重量物２の支持部５と基端部１ａとの嵌合によって立脚物１を載置重量物２に係止支持させる嵌合支持部Ｋを設け、嵌合支持部Ｋが、支持部５と基端部１ａとの間に介装される弾性部材６を有してそれら支持部５と基端部１ａとが互いに圧入又は密嵌合される状態に構成されている。【選択図】図２
2009121046.tif 000002
【特許請求の範囲】
【請求項１】
立脚物の基端部を載置重量物に係止支持させることにより、前記立脚物を立脚作用状態に維持可能とするための立脚支持構造であって、
前記載置重量物の支持部と前記基端部との嵌合によって前記立脚物を前記載置重量物に係止支持させる嵌合支持部を設け、前記嵌合支持部が、前記支持部と前記基端部との間に介装される弾性部材を有してそれら支持部と基端部とが互いに圧入又は密嵌合される状態に構成されている立脚支持構造。
【請求項２】
前記載置重量物が、前記支持部としての単数又は複数の孔又は穴を有する建築用コンクリートブロックであり、前記弾性部材が、これに前記基端部としての支柱部分が内嵌され、かつ、前記孔又は穴に内嵌される筒状のものに形成されている請求項１に記載の立脚支持構造。
【請求項３】
立脚物を、その基端部が載置重量物に係止支持されることで立脚作用状態に維持させるための立脚用支持具であって、
前記載置重量物の支持部と前記基端部との何れか一方に係止可能で、かつ、何れか他方に圧入又は密嵌合可能な弾性材料で形成されている立脚用支持具。
【請求項４】
前記載置重量物である建築用コンクリートブロックに形成される前記支持部としての孔又は穴に対して圧入又は密内嵌可能で、かつ、前記基端部としての支柱部分を内嵌及び固着可能な筒状のものに形成されている請求項３に記載の立脚用支持具。
【発明の詳細な説明】
【技術分野】
【０００１】
本発明は、立脚支持構造及び立脚用支持具に係り、詳しくは、間仕切りフェンス、外囲フェンス、信号等、標識等の立脚物を、コンクリートブロックや鋳鉄塊等の載置重量物に簡易に支持させるための立脚支持構造及び立脚用支持具に関するものである。
【背景技術】
【０００２】
例えば、道路工事やガス工事等を行う場合における工事現場とその他の区域とを区別する防護壁を構築する手段、或いは家庭園芸用の簡易フェンスとして花壇とその他のエリアとを仕切る手段として、運搬や移動が可能なフェンス、即ち、簡易型の仕切りフェンスを用いることがある。
【０００３】
従来、上述のような簡易型の仕切りフェンスとしては、市販されている建築用コンクリートブロックを重しとして構成されたものがあり、その支持構造としては、例えば特許文献１において開示されるものが知られている。それは、コンクリートブロックを外囲する下向き開放コ字状の支持プレート体を設け、そのプレート体にフェンスを立脚状態で支持させる構造、即ち、立脚支持構造である。即ち、立脚物の基端部を載置重量物に係止支持させることにより、立脚物を立脚作用状態に維持可能とするための立脚支持構造である。
【０００４】
前記支持プレート体（特許文献１の図４〜６等で示される「支持脚台２」を参照）は、フェンスの支柱を強度十分に固定する機能や、コンクリートブロックを挟み込んで挟持支持するための幅調節機能等を備えており、比較的構造が複雑で、かつ、部品点数も多い構成のものとなっている。特許文献１に開示される立脚支持構造と同様なものとしては、特許文献２において開示される家庭用フェンスの支持構造がある。
【０００５】
また、特許文献３において開示される立脚支持構造、即ち、二重構造のコンクリートブロックに、フェンス支柱をネジ止め可能な管体を埋設させるという、専用の基礎用コンクリートブロックを作成して用いる手段も知られている。しかしながら、この手段では、最終的には支柱が挿入されている管体内にモルタルを流し込んで固定する構造のものであり、やはり、構造が複雑でコストも高く、しかも誰でも簡単に設置できるというものではない。このように、いずれの特許文献に示された立脚支持構造でも、簡単で廉価なものというには不十分であり、改善の余地が残されているものであった。
【特許文献１】特開２００１−９０３９８号公報
【特許文献２】特開２０００−１２９９６４号公報
【特許文献３】特開平１０−３２５２６８号公報
【発明の開示】
【発明が解決しようとする課題】
【０００６】
本発明の目的は、上記実情に鑑みることにより、フェンスや標識、或いは表示塔等の立脚物をコンクリートブロック等の載置重量物に支持及び維持させる立脚支持構造を、構造簡単で廉価に、そして誰でも容易に組付け施工が行えるものとして、扱い易く便利で経済的なものに改良して提供する点にある。また、そのための立脚用支持具を合理的なものとして提供することも目的とする。
【課題を解決するための手段】
【０００７】
請求項１に係る発明は、立脚物１の基端部１ａを載置重量物２に係止支持させることにより、前記立脚物１を立脚作用状態に維持可能とするための立脚支持構造において、
前記載置重量物２の支持部５と前記基端部１ａとの嵌合によって前記立脚物１を前記載置重量物２に係止支持させる嵌合支持部Ｋを設け、前記嵌合支持部Ｋが、前記支持部５と前記基端部１ａとの間に介装される弾性部材６を有してそれら支持部５と基端部１ａとが互いに圧入又は密嵌合される状態に構成されていることを特徴とするものである。
【０００８】
請求項２に係る発明は、請求項１に記載の立脚支持構造において、前記載置重量物２が、前記支持部５としての単数又は複数の孔又は穴を有する建築用コンクリートブロックであり、前記弾性部材６が、これに前記基端部１ａとしての支柱部分が内嵌され、かつ、前記孔又は穴５に内嵌される筒状のものに形成されていることを特徴とするものである。
【０００９】
請求項３に係る発明は、立脚物１を、その基端部１ａが載置重量物２に係止支持されることで立脚作用状態に維持させるための立脚用支持具において、
前記載置重量物２の支持部５と前記基端部１ａとの何れか一方に係止可能で、かつ、何れか他方に圧入又は密嵌合可能な弾性材料で形成されていることを特徴とするものである。
【００１０】
請求項４に係る発明は、請求項３に記載の立脚用支持具において、前記載置重量物２である建築用コンクリートブロックに形成される前記支持部５としての孔又は穴に対して圧入又は密内嵌可能で、かつ、前記基端部１ａとしての支柱部分を内嵌及び固着可能な筒状のものに形成されていることを特徴とするものである。
【発明の効果】
【００１１】
請求項１の発明によれば、支持部と基端部とを弾性部材を介して密嵌合又は圧入させることで立脚物を載置重量物に係止支持させる構造であるから、詳しくは実施形態の項にて説明するが、立脚物を載置重量物に支持させる施工が容易化されるとともに、立脚物と載置重量物との何れかを新品等に交換することが可能になる。そして、弾性部材の介装によるフレキシブル性が発揮され、多少立脚物に衝撃が加わっても損傷したり変形したりが防止される効果も期待できる。その結果、フェンスや標識、或いは表示塔等の立脚物をコンクリートブロック等の載置重量物に支持及び維持させる立脚支持構造を、構造簡単で廉価に、そして誰でも容易に組付け施工が行えるものとして、扱い易く便利で経済的なものに改良して提供することができる。
【００１２】
請求項２の発明によれば、載置重量物が市販されている建築用コンクリートブロックという入手し易く廉価なものが使えて経済的で便利であるとともに、支柱部分が内嵌される弾性部材を支持部としての貫通孔に圧入又は密嵌合するだけの簡単操作で組付けできて施工性も優れる利点がある。
【００１３】
この場合、弾性部材との接触面積が比較的小となる支柱部分を弾性部材に固着させ、弾性部材との接触面積が比較的大となる孔又は穴には弾性部材を圧入又は密嵌合させる構成を付加すれば合理的である。また、弾性部材をゴム製として、支柱部分を加硫接着によって強固に一体化させる構成を付加すればより好都合である。さらに、立脚物としてはフェンスを採択することができる。
【００１４】
請求項３の発明によれば、請求項１の発明による前記効果と同等の効果を得ることができる立脚用支持具を提供することができる。
【００１５】
請求項４の発明によれば、請求項２の発明による前記効果と同等の効果を得ることができる立脚用支持具を提供することができる。
【発明を実施するための最良の形態】
【００１６】
以下に、本発明による立脚支持構造並びに立脚用支持具の実施の形態を、図面を参照しながら説明する。図１，２は実施例１による立脚支持構造を示す図であり、図３はそれらに用いる立脚用支持具を示す斜視図である。図４，５は実施例２による立脚支持構造と立脚用支持具を示す正面図、平面図であり、図６，７は別実施例１，２による立脚支持構造を示す図である。
【００１７】
〔実施例１〕
立脚支持構造の例として、図１，図２にフェンス１を建築用コンクリートブロック２に支持させるものが示されている。即ち、フェンス（立脚物の一例）１の支柱部分（基端部の一例）１ａを建築用コンクリートブロック（載置重量物の一例）２に係止支持させることにより、フェンス１を立脚作用状態に維持可能とするための立脚支持構造である。
【００１８】
フェンス１は、上下日本の横桟３，３と３本の縦桟４，４，４と、角パイプ製で三箇所の支柱部材（縦支柱）１ａ，１ａ，１ａとから構成されている。三本の支柱部材１ａのそれぞれには、各筒状のゴム塊（弾性部材の一例）６が外嵌され、かつ、加硫接着されている。建築用コンクリートブロック２は、左右端のそれぞれに凹入部２ａが形成され、かつ、矩形で三箇所の貫通孔（支持部の一例）５，５，５を有する一般市販品（中間用）のモルタルブロックである。
【００１９】
ゴム塊６は、図３に示すように、支柱部分１ａが密内嵌可能な中心角孔７、一対の短辺壁６ａ，６ａ、一対の長辺壁６ｂ、６ｂ、上面壁６ｃ、下面壁６ｄを有する角筒状のものであり、その大きさは建築用コンクリートブロック２の貫通孔５に密嵌合又は圧入される寸法に設定されている。中心角孔７は、ゴム塊６を上下に貫通しているが、下端部が閉塞される構造の穴でも可能である。図３は未加硫状態を示しており、中心角孔７をして各支柱部分１ａを内嵌挿入させた状態で加硫処理することにより、支柱部分１ａとゴム塊６とは加硫接着されて一体化されている（図１の状態）。
【００２０】
三つのゴム塊６付のフェンス１は、図１に示すように、各ゴム塊６を対応する貫通孔５の直上に位置させた状態としてから下方に押し込み操作する。その下方押し込み操作により、各ゴム塊６を対応する貫通孔５に圧入（又は密嵌合）しながら挿入し、図２に示すように、ゴム塊６が貫通孔５に埋没させることにより、建築用コンクリートブロック２への組付操作が完了する。つまり、フェンス１を建築用コンクリートブロック２に押し付けるだけの簡単な操作で立脚作用状態で係止支持させることができる。
【００２１】
つまり、建築用コンクリートブロック２の貫通孔５と支柱部分１ａとの嵌合によってフェンス１を建築用コンクリートブロック２に係止支持させる嵌合支持部Ｋを設け、嵌合支持部Ｋが、貫通孔５と支柱部分１ａとの間に介装されるゴム塊６を有してそれら貫通孔５と支柱部分１ａとが互いに圧入又は密嵌合される状態に構成されている。そして、ゴム塊６は、フェンス１を、その支柱部分１ａが建築用コンクリートブロック２に係止支持されることで立脚作用状態に維持させるための立脚用支持具である。その立脚用支持具６は、支柱部分１ａに係止可能で、かつ、貫通孔５に圧入又は密嵌合可能な弾性材料、即ちゴムで形成されている。
【００２２】
図２に示す組付け状態では、ゴム塊６によってフェンス１が建築用コンクリートブロック２に弾性性支持されてフレキシブル性があるため、フェンス１に多少衝撃が加わっても変形したり損傷したりすることが防止される効果がある。また、前述したように現場等における施工が容易であり、ゴム塊６を介して支柱部分１ａを貫通孔５に嵌合させてあるので、交換も容易となる効果もある。尚、嵌合支持部Ｋは、支柱部分１ａとゴム塊６と貫通孔５徒によって構成されている。
【００２３】
図３に仮想線で示すように、ゴム塊６を、その中に角パイプ状で鋼板等による硬質隔壁１５を介装させる積層ゴム構造のものとしても良く、それによってゴム塊６の弾性が柔かいとか支持強度が弱いといった場合の補強を行うことが可能である。
【００２４】
〔実施例２〕
実施例２による立脚用支持具６は、図４，５に示すように、上下方向視で円形を呈する丸穴８を有する有底円筒状のゴム（又は高密度スポンジ、ＥＰＤＭ等でも良い）で構成されている。立脚用支持具６は、表示塔（立脚物の一例）１をコンクリート（モルタル）製の台形重し２に立脚支持させるためのものである。表示塔１は、支柱１０と、その上端に固定される標識又は表示板９とで成るものであり、丸パイプ製の支柱１０の下端部（基端部）１ａを丸穴８に内嵌して加硫接着（接着剤を用いて接着しても良い）することにより、表示塔１と立脚用支持具６とが一体化されている。
【００２５】
台形重し２の上側部分における平面視で前後及び左右の中央位置には、立脚用支持具６を密内嵌させるための落し込み穴５が支持部として形成されている。従って、表示塔１を下方に強制移動させてその下端部に固着されているゴム製の立脚用支持具６を丸穴８に強制挿入させる操作を行うことにより、嵌合支持部Ｋが機能して表示塔１を立脚作用状態でもって台形重し２に係止支持させることができる。この場合の嵌合支持部Ｋは、支柱１０の下端部と立脚用支持具６と丸穴８とで構成される。
【００２６】
〔別実施例〕
１．立脚物としては、図６に示すように、Ｌ字形に屈曲する支柱１１とフェンス本体１２とを有して成る外囲用や仕切り用のフェンス１でも良く、この場合には建築用コンクリートブロック２を横倒し状態で用いる。つまり支柱１１の基端部１ａは横臥姿勢になっているので、その基端部１ａに嵌合及び加硫接着されるゴム塊６も横向きとなるため、貫通孔５も横向きとすべく建築用コンクリートブロック２を横倒し姿勢で用いるのである。
【００２７】
このように、基端部が横向きとなる場合でも、フェンス１を立脚作用状態に維持可能とするための立脚支持構造であると定義する。尚、立脚用支持具である筒状のゴム塊６は、図３に示す実施例１のものと同じでも良いし、図４，５に示す有底筒状のものとすることも可能である。
【００２８】
２．立脚物としては、図７に示すように、水平姿勢の支柱１２と標識板１３とを有してなる道路標識１でも良く、この場合には、地面から上方隆起した載置台１４の上面にて横倒しされるコンクリートブロック２を用いることができる。このように貫通孔５にゴム塊６を介して支柱１２の基端部１ａが係止支持される横向きの標識１も「立脚物」の範疇に入るものであり、コンクリートブロック２を用いてその横向き姿勢に支持及び維持させることを、標識１を立脚作用状態に維持可能とするための立脚支持構造であると定義する。
【００２９】
〔その他の別実施例〕
立脚用支持具としての筒状のゴム塊６は、貫通孔５に圧入又は密嵌合できるものであれば、その平面視が十字形等の貫通孔５の形状とは異なる形状のものであっても良い。また庭等の園芸用としての逆宇Ｕ字状のアーチの両下端部をコンクリートブロックに差し込んで係止支持させる嵌合支持部にゴム製の立脚用支持具を用いる構造も可能である。立脚物としては、信号灯、点滅灯、自立杭、広告表示板等種々のものが可能である。
【図面の簡単な説明】
【００３０】
【図１】フェンスのコンクリートブロックへの立脚支持構造を示す分解斜視図
【図２】組付状態のフェンスを示す斜視図
【図３】実施例１の立脚用支持具を示す斜視図
【図４】実施例２の立脚用支持具及び立脚支持構造を示す一部切欠きの正面図
【図５】図４の立脚用支持具を示す平面図
【図６】立脚支持構造の別構造その１を示す側面図
【図７】立脚支持構造の別構造その２を示す側面図
【符号の説明】
【００３１】
１          立脚物
１ａ        基端部
２          載置重量物、建築用コンクリートブロック
５          支持部、孔又は穴
６          弾性部材、立脚用支持具
Ｋ          嵌合支持部
【図１】
2009121046.tif 000003
【図２】
2009121046.tif 000004
【図３】
2009121046.tif 000005
【図４】
2009121046.tif 000006
【図５】
2009121046.tif 000007
【図６】
2009121046.tif 000008
【図７】
2009121046.tif 000009